(57)【要約】【課題】建築材料の機能を併用した振動体による音響再生装置を提供することを目的とする。【解決手段】建築材料の機能を併用した振動体に、ボイスコイル２８を結合して、このボイスコイル２８に作用する範囲に、磁束発生手段を設けて構成することで、装置の小型薄型化を実現することができ、室内でのスペースファクターの向上と、室内レイアウトの自由度向上ができ、部品点数削減によるコスト低減化と生産性の向上を図ることができる。【選択図】図１
2006080820.tif 000002
【特許請求の範囲】
【請求項１】
少なくとも磁束発生手段と、この磁束発生手段の磁束の作用する範囲に前記磁束発生手段と非接触状態で配置されるボイスコイルを結合した振動体とから構成されるとともに、前記振動体は建築材料の一部である音響再生装置。
【請求項２】
磁束発生手段と、振動体を被装着体に結合した請求項１記載の音響再生装置。
【請求項３】
ボイスコイルは磁束発生手段と交差しない状態で振動体の面上に設けられた請求項１または請求項２記載の音響再生装置。
【請求項４】
振動体は略平面状に形成された請求項１から請求項３のいずれか一つに記載の音響再生装置。
【請求項５】
ボイスコイルは、少なくとも振動体の外周部近傍を含んで設けられた請求項１から請求項４のいずれか一つに記載の音響再生装置。
【請求項６】
磁束発生手段は、マグネットを含む磁気回路である請求項１から請求項５のいずれか一つに記載の音響再生装置。
【請求項７】
磁束発生手段は、電流による誘導磁界である請求項１から請求項５のいずれか一つに記載の音響再生装置。
【請求項８】
磁束発生手段を、振動体を介して、少なくともその一部を対向配置した請求項１から請求項７のいずれか一つに記載の音響再生装置。
【請求項９】
振動体の表裏面にボイスコイルを結合した請求項１から請求項８のいずれか一つに記載の音響再生装置。
【請求項１０】
振動体として、壁面材を用いた請求項１から請求項９のいずれか一つに記載の音響再生装置。
【請求項１１】
振動体として、扉材を用いた請求項１から請求項９のいずれか一つに記載の音響再生装置。
【請求項１２】
振動体として、柱材を用いた請求項１から請求項９のいずれか一つに記載の音響再生装置。
【請求項１３】
振動体として、天井材を用いた請求項１から請求項９のいずれか一つに記載の音響再生装置。
【請求項１４】
振動体として、床材を用いた請求項１から請求項９のいずれか一つに記載の音響再生装置。
【請求項１５】
振動体として、窓材を用いた請求項１から請求項９のいずれか一つに記載の音響再生装置。
【請求項１６】
振動体として、衝立材を用いた請求項１から請求項９のいずれか一つに記載の音響再生装置。
【請求項１７】
振動体として、パーテーション材または屏風材を用いた請求項１から請求項９のいずれか一つに記載の音響再生装置。
【請求項１８】
振動体の外周部は、外周部以外の部位より柔らかく構成した請求項１から請求項１７のいずれか一つに記載の音響再生装置。
【請求項１９】
振動体は、その外周部に、柔軟性に富むエッジ部を含んで構成した請求項１から請求項１７のいずれか一つに記載の音響再生装置。
【請求項２０】
ボイスコイルは、２層巻き以上に構成した請求項１から請求項１９のいずれか一つに記載の音響再生装置。
【請求項２１】
１つの振動体に、２つ以上の独立したボイスコイルを結合し、各々のボイスコイルに異なった電気信号を入力した請求項１から請求項２０のいずれか一つに記載の音響再生装置。
【請求項２２】
周波数帯域の異なる信号を入力した請求項２１に記載の音響再生装置。
【請求項２３】
ステレオ信号を入力した請求項２１に記載の音響再生装置。
【請求項２４】
５．１チャンネル対応のサラウンド信号を入力した請求項２１に記載の音響再生装置。
【請求項２５】
請求項１から請求項２４のいずれか一つに記載の音響再生装置を磁束発生手段側を内側にして、２体以上の音響再生装置を一体化結合した音響再生装置。
【請求項２６】
磁束発生手段の一部を共用化した請求項２５記載の音響再生装置。
【請求項２７】
被装着体を共用化した請求項２５または請求項２６記載の音響再生装置。
【請求項２８】
請求項１から請求項２７のいずれか一つに記載の音響再生装置を搭載した建築材料。
【請求項２９】
色彩を白系色とした請求項２８記載の建築材料。
【請求項３０】
操作手段と信号入力手段と増幅手段の一部または全部を建築材料に埋設構成した請求項１から請求項２９のいずれか一つに記載の音響再生装置または建築材料。
【請求項３１】
請求項２８から請求項３０のいずれか一つに記載の建築材料を搭載した建築構造物。
【発明の詳細な説明】
【技術分野】
【０００１】
本発明は、住宅やマンション、オフィスビル等の建築材料で構成された居住空間に使用される音響再生装置に関するものである。
【背景技術】
【０００２】
図１９は、従来の居住空間と、この居住空間に使用される音響再生装置の構成を示した斜視図である。
【０００３】
図１９において、１００は居住空間、１０１は壁、１０２は天井、１０３は床、１０４は柱、１０５は扉、１０６は窓である。
【０００４】
そして、この居住空間１００には、最近各家庭で普及しつつあるリアルな音場再生可能な５．１チャンネルのサラウンドシステムを搭載したオーディオシステム２００が設置されている。
【０００５】
このオーディオシステム２００は、その操作手段や信号入力手段や増幅手段等からなるプレーヤ部やアンプ部を含む本体部２０１と、右フロントスピーカ２０２と左フロントスピーカ２０３および右リアスピーカ２０４と左リアスピーカ２０５ならびにセンタースピーカ２０６およびサブウーファ２０７の合計６つのスピーカにより構成している。
【０００６】
そして、これらのスピーカは居住空間１００を少しでも広く確保できるよう部屋の隅に置いたり、壁１０１に埋め込んで使用できるようにしたものが考案されていた。
【０００７】
なお、この出願の発明に関連する先行技術文献情報としては、例えば、特許文献１が知られている。
【特許文献１】実開平３−８６６８８号公報
【発明の開示】
【発明が解決しようとする課題】
【０００８】
従来の音響再生装置であるオーディオシステム２００は、特に前述のような５．１チャンネルのサラウンドシステムを搭載した場合、合計６つのスピーカが必要となり、そのそれぞれのスピーカにエンクロージャが必要となるため、体積的に非常に大きなものとなる。
【０００９】
さらに、再生帯域を広くして、大きな音量で再生可能なリアルな音響再生が実現できるスピーカとするには、このエンクロージャの体積を大きく確保することが重要となる。
【００１０】
一方、住宅事情は、都心のマンションに代表されるように、狭い居住空間を有効利用することで、生活環境を改善したり、コストパフォーマンスを高めることが最近の住環境の主流となりつつある。
【００１１】
よって、前述のリアルな音響再生や音場再生可能な５．１チャンネルのサラウンドシステムを搭載したオーディオシステム２００の設置は、大きな面積が必要となることから、昨今の住宅事情面からは敬遠されているという問題を有するものであった。
【００１２】
この対策案として、スピーカを小型化したり、壁に埋め込んだりした構成のものも存在はしたが、設置に必要な体積の減少は可能であるが、いずれも音響再生面で不利になり、リアルで良好な音響再生が実現できるものではなかった。
【００１３】
本発明はこのような従来の課題を解決し、狭い居住空間を有効利用することができる音響再生装置を提供することを目的とするものである。
【課題を解決するための手段】
【００１４】
上記課題を解決するために本発明は、少なくとも磁束発生手段と、この磁束発生手段の磁束の作用する範囲に前記磁束発生手段と非接触状態で配置されるボイスコイルを結合した振動体とから構成し、前記振動体を建築材料の一部で構成して音響再生装置を構成したものである。
【発明の効果】
【００１５】
以上のように本発明による音響再生装置は、建築材料の一部で構成した振動体により音響再生装置を構成することで、装置の小型薄型化を実現することができる。
【００１６】
よって、スピーカシステムである音響再生装置を設置するスペースが不要であるため、室内でのスペースファクターを向上できるとともに、室内レイアウトの自由度を向上させることができる。
【００１７】
さらに、振動体は建築材料の機能を併用しているため、本来のスピーカの振動板が不要となり、部品点数削減によるコスト低減化と生産性の向上を図ることができる。
【発明を実施するための最良の形態】
【００１８】
（実施の形態１）
以下、実施の形態１を用いて、本発明の特に請求項１、請求項２、請求項４、請求項６、請求項１０、請求項２５、請求項２６、請求項２７および請求項２８に記載の発明について図面を用いて説明する。
【００１９】
図１は、本発明の居住空間と、この居住空間に使用される音響再生装置の構成を示した斜視図である。
【００２０】
図１において、３００は居住空間、３０１は正面壁、３０２は天井、３０３は床、３０４は柱、３０５は扉、３０６は窓である。
【００２１】
そして、この居住空間３００には、最近各家庭で普及しつつあるリアルな音場再生可能な５．１チャンネルのサラウンドシステムを搭載したオーディオシステム４００が設置されている。
【００２２】
このオーディオシステム４００は、その操作手段や信号入力手段や増幅手段等からなるプレーヤ部やアンプ部を含む本体部４０１と、正面壁の右側壁面材を右フロントスピーカ４０２の振動体２７として使用し、正面壁の左側壁面材を左フロントスピーカ４０３の振動体２７として使用する。
【００２３】
そして、図１下方に示す背面壁の右側壁面材を右リアスピーカ４０４の振動体２７として使用し、背面壁の左側壁面材を左リアスピーカ４０５の振動体２７として使用する。
【００２４】
さらに、正面壁の中央壁面材をセンタースピーカ４０６の振動体２７として使用し、側面壁の左壁面材をサブウーファ４０７の振動体２７として使用することで、合計６つのスピーカにより構成している。
【００２５】
尚、図中の破線部分は壁面に内蔵されたボイスコイル２８を示している。
【００２６】
図２は、図１に示した振動体２７として使用されている建築材料である壁面材のみを示した外観図であり、振動体２７としての壁面材は略平面状に形成されている。
【００２７】
尚、図中の破線部分は壁面の裏側に配置されたボイスコイル２８を示している。
【００２８】
図３は、図２の壁面材の使用状態を示す断面図であり、２つの柱材３０４の間に形成された壁面心材４１０に、磁束発生手段であるマグネット２１を含む磁気回路２４を結合し、この磁気回路２４のマグネット２１とヨーク２３にて形成された磁気ギャップ２５にボイスコイル２８を挿入配置させるとともに、このボイスコイル２８の反対側を振動体２７に結合して構成している。
【００２９】
そして、この振動体２７が壁の表面となり、壁としての機能を有するとともに、振動板として音を発生する機能も有するものとなる。
【００３０】
すなわち、磁束発生手段である磁気回路２４と、この磁束発生手段の磁束の作用する範囲に磁束発生手段と非接触状態で配置されるボイスコイル２８を結合した振動体２７とから構成されるとともに、振動体２７は建築材料の一部で音響再生装置を構成したものである。
【００３１】
この構成により、音響再生装置は、建築材料の一部で構成した振動体２７を用いて構成することで、装置の小型薄型化を実現することができる。
【００３２】
また、従来の音響再生装置に使用されることの多かった円錐型の振動板、いわゆるコーン紙を、壁面材として略平面状に形成させることで、大幅な薄型化を実現することができる。
【００３３】
さらに、振動体２７は建築材料の機能を併用しているため、本来のスピーカの振動板が不要となり、部品点数削減によるコスト低減化と生産性の向上を図ることができる。
【００３４】
上述した音響再生装置は、リアルな音場再生可能な５．１チャンネルのサラウンドシステムに適用したものであり、このオーディオシステム４００は、合計６つのスピーカにより構成しているため、この６つのスピーカの振動板を全て壁面に代替させることで、住宅の居住空間を大幅に拡大させることができる。
【００３５】
図４は、表面と裏面の両面に振動体２７の機能を有する壁面材を使用した状態を示す断面図であり、音響再生装置を磁束発生手段側を内側にして、２体以上の音響再生装置を一体化結合して構成したものである。すなわち、磁束発生手段である磁気回路２４の一部であるヨーク２３を共用化して構成したものである。
【００３６】
この構成は、連続した２つの部屋の中心壁を共用して、各々の部屋の壁に音を再生するスピーカの機能を持たせるときに有効であり、部品の共用化を図ることができ省スペース化と低コスト化を実現することができる。
【００３７】
尚、当構成は磁気回路２４の一部であるヨーク２３を共用化して構成したものについて説明したが、これに限定されることなく、マグネット２１を共用化しても良く、またこれら以外の部品を共用化しても良い。
【００３８】
図５は、磁束発生手段である磁気回路２４と、振動体２７を被装着体に結合して構成した音響再生装置である。前述した音響再生装置に、被装着体としての枠体であるフレーム２６を設けた構成であり、これ以外の構成は図３に示す構成と同様であるため説明は省略するが、この構成とすることにより、壁の心材や柱材が存在しなくとも、音響再生装置としての壁面モジュールを構成させることができ、建築材料として単独で管理、運用が可能となる。
【００３９】
よって、建築現場で組立て構成する必要がなく、建築材料工場内部で音響再生装置としての壁面モジュールとして完成させることができ、管理、運用面の容易性と低コスト化を図ることができる。
【００４０】
図６は、図４に示す磁束発生手段である磁気回路２４の一部であるヨーク２３を共用化して構成し、加えて被装着体としての枠体であるフレーム２６についても共用化して構成したものである。
【００４１】
この構成とすることにより、連続した２つの部屋の中心壁を共用して、各々の部屋の壁に音を再生するスピーカの機能を持たせる壁面モジュールを構成させることができ、建築材料として単独で管理、運用が可能となる。
【００４２】
さらに、部品の共用化を図ることができ省スペース化と低コスト化を実現することができる。
【００４３】
以上の構成とすることにより、スピーカシステムである音響再生装置を設置するスペースが不要となり、室内でのスペースファクターを向上できるとともに、室内レイアウトの自由度を向上させることができる。
【００４４】
また、部品の共用化、省スペース化、低コスト化を実現することができ、加えて建築材料工場内部で音響再生装置としての壁面モジュールとして完成させることができ、管理、運用面の容易性も図ることができ、その効果は絶大である。
【００４５】
さらに、オーディオシステムと各々のスピーカとの配線についても、壁面内部にて実施することができるため、日常生活上、煩わしいコード類を居住空間からなくすことができ生活の快適性、生活環境の向上を図ることができる。
【００４６】
（実施の形態２）
以下、実施の形態２を用いて、本発明の特に請求項３、請求項５、請求項７、請求項８および請求項９に記載の発明について図面を用いて説明する。
【００４７】
図７は、本発明のボイスコイル２８の構成を示した振動体２７の斜視図である。
【００４８】
図７は、磁束発生手段と交差しない状態で振動体の面上に、巻線手法を用いずにプリント手法やメッキ手法、エッチング手法等により設けられたボイスコイルである。
【００４９】
また、図８に示すようにボイスコイル２８は、少なくとも振動体２７の外周部近傍を含んで設けられていれば良い。
【００５０】
これらの構成のように、ボイスコイル２８は、少なくとも振動体２７の面上に、その外周部近傍を含んで角型渦巻状に形成されている。
【００５１】
図９および図１０は、図７や図８に示すボイスコイル２８が形成された振動体２７を使用した音響再生装置の構成を示した断面図である。
【００５２】
図９において、ボイスコイル２８は磁束発生手段と交差しない状態で振動体２７の面上に設けられ、その外周を被装着体としての枠体であるフレーム２６に結合されている。
【００５３】
そして、この振動体２７を駆動するための磁束発生手段は複数のマグネット２１を、これらを結合できる形状に形成したヨーク２３に結合し、その磁気ギャップ２５から発生する漏洩磁束をボイスコイル２８に作用させて振動体２７を駆動している。
【００５４】
図１０については、振動体２７の両面上に、ボイスコイル２８を形成したものであり、裏面には、図７に示すように振動体２７の面上全体にボイスコイル２８を形成し、前面には、図８に示すようにボイスコイル２８は、少なくとも振動体２７の外周部近傍にのみ形成している。
【００５５】
そして、これら振動体２７の表裏面の両面上に形成されたボイスコイル２８には、それぞれ両面側に磁束発生手段である磁気回路２４を、振動体２７を介して、少なくともその一部を対向配置して設け、この磁気回路２４の磁気ギャップ２５から発生する漏洩磁束をボイスコイル２８に作用させて振動体２７を駆動している。
【００５６】
以上の構成とすることで、ボイスコイル２８は磁束発生手段である磁気回路２４と交差しない状態で振動体２７の面上に形成することで、音響再生装置の薄型化を図ることができる。
【００５７】
さらに、図１０に示すようにボイスコイル２８が、振動体２７の両面側に形成されたものについては、その駆動力を大きくすることができ、音響再生装置の音圧レベルを向上させることができる。
【００５８】
図１１は、本発明の磁束発生手段を、電流による誘導磁界により構成したものである。
【００５９】
図１１に示すように、ボイスコイル２８を形成した振動体２７の外周部を、被装着体としての枠体であるフレーム２６に結合し、このフレーム２６には磁束発生手段である電流による誘導磁界を発生させるためのコイル２８Ａを設けて構成したものである。
【００６０】
そして、このコイル２８Ａに電流を流し、発生した磁束をボイスコイル２８に作用させ、振動体２７を駆動する構成としている。
【００６１】
この構成とすることで、マグネットを含む磁気回路が不要となり、さらなる装置の小型薄型化を実現することができる。
【００６２】
図１２は、図１１の磁束発生手段である誘導磁界を発生させるためのコイル２８Ａを、被装着体としての枠体であるフレーム２６を共用化して、その両側に設け、さらにボイスコイル２８を形成した振動体２７も、このフレーム２６に形成されたコイル２８Ａの両側にその外周部を、フレーム２６に結合して表裏両面に構成したものである。
【００６３】
この構成とすることにより、部品の共用化、省スペース化、低コスト化を実現することができる音響再生装置の薄型化を図ることができ、その効果は絶大である。
【００６４】
以上の構成では、振動体２７とフレーム２６の結合については、振動体２７の振幅を十分に確保できる点から、柔軟性に富む接着剤や粘着剤により結合させることが望ましい。
【００６５】
但し、必要な場合は、高硬度の接着剤でも使用可能であり、さらに振動体２７とフレーム２６を結合せずに使用することも可能である。
【００６６】
（実施の形態３）
以下、実施の形態３を用いて、本発明の特に請求項１１、請求項１２、請求項１３、請求項１４、請求項１５、請求項１６および請求項１７に記載の発明について図面を用いて説明する。
【００６７】
図１３は、本発明の居住空間と、この居住空間に使用される音響再生装置の構成を示した斜視図である。
【００６８】
本発明の居住空間については、実施の形態１にて説明したため、その詳細説明は省略するが、実施の形態１にて説明した振動体２７は、建築材料の壁面材を使用した例について説明したが、ここでは壁面材以外の建築材料や建築関連材料への適用について説明する。
【００６９】
図１３において、３０１は壁、３０２は天井、３０３は床、３０４は柱、３０５は扉、３０６は窓である。
【００７０】
この図１３の破線で示したボイスコイルが内蔵された建築材料、すなわち３０２の天井材、３０３の床材、３０４の柱材、３０５の扉材、３０６の窓材についても、実施の形態１と同様にボイスコイルと磁束発生手段とを設けることにより音響再生装置の振動体として構成することができる。
【００７１】
尚、３０４の柱材については、図１４に拡大斜視図を示す。
【００７２】
その他、図１５や図１６に示す衝立材３２０やパーテーション３２１、屏風等の建築関連材料への適用も可能である。
【００７３】
さらに、図示していないが、建築関連材料として表札や外壁や門柱といったエクステリアへの適用も可能である。
【００７４】
（実施の形態４）
以下、実施の形態４を用いて、本発明の特に請求項１８、請求項１９、請求項２０、請求項２１、請求項２２、請求項２３、請求項２４、請求項２９、請求項３０および請求項３１に記載の発明について図面を用いて説明する。
【００７５】
図１７は、本発明の居住空間と、この居住空間に使用される音響再生装置の構成を示した斜視図である。
【００７６】
本発明の居住空間については、実施の形態１にて説明したため、その詳細説明は省略するが、実施の形態１にて説明した建築材料へのボイスコイルや振動体の使用手段について説明する。
【００７７】
図１７において、３０１は正面壁、３３０は背面壁である。
【００７８】
この図１７の破線で示したボイスコイルが内蔵された建築材料、すなわち３０１の正面壁、３３０の背面壁についても、実施の形態１と同様のボイスコイルと磁束発生手段とを設けることにより音響再生装置の振動体として構成している。
【００７９】
ここで、１つの振動体に、２つ以上の独立したボイスコイルを結合し、各々のボイスコイルに異なった電気信号を入力して音響再生装置を構成することで、その性能を向上させることができる。
【００８０】
例えば、正面壁３０１の右側には、実施の形態１では右側のボイスコイルを１つ形成する構成を説明したが、当実施の形態では、これを３つに分割して３つのボイスコイルを形成し、このそれぞれのボイスコイルに、周波数帯域の異なる信号を入力して使用できる音響再生装置とする。
【００８１】
すなわち、３つのボイスコイルのうち、上側の小型のボイスコイル２８Ｂには、通常ツィータに入力する高音域専用の信号を入力し、中間の中型のボイスコイル２８Ｃには、通常スコーカに入力する中音域専用の信号を入力し、下側の大型のボイスコイル２８Ｄには、通常ウーファに入力する低音域専用の信号を入力して、マルチウエイスピーカを構成する。
【００８２】
この構成とすることで、各々のボイスコイルと、このボイスコイルが結合された各々の振動体の質量により、それぞれ高音域、中音域、低音域に最適な周波数特性を再生することができる。
【００８３】
すなわち、より軽量で面積の小さいボイスコイルと振動体には高音域を、より質量が大きく面積の大きいボイスコイルと振動体には低音域をそれぞれ受持たせるように、信号入力制御することにより良好な周波数特性を実現することができる。
【００８４】
また、当実施の形態のように細かく分割しないまでも、実施の形態１の図１に示すように、正面壁３０１に、ステレオ信号を右側と左側に分割して入力したり、５．１チャンネル対応のサラウンド信号を、その再生周波数帯域に適した部位に入力したりして音響再生装置を構成することもできる。
【００８５】
以上、１つの振動体に、２つ以上の独立したボイスコイルを結合し、各々のボイスコイルに異なった電気信号を入力して音響再生装置を構成する方法について説明したが、１つの振動体である限り、振動伝達が少ないにしても、１つのボイスコイルが結合された振動体に、別のボイスコイルからの振動が伝達されて、悪影響を及ぼす可能性がある。
【００８６】
この場合には、図１７の下方に示す背面壁３３０のように、壁面材にスリット３３１を設けて振動伝達を防止する方法が有効である。
【００８７】
当実施の形態では、左右間のスリットと上下間に２つのスリットを設けているため、ステレオ対応で、かつ３ウエイのマルチウエイ対応を高性能で実現可能となる。
【００８８】
この構成とすることで、各々のボイスコイルと、このボイスコイルが結合された各々の振動体の各チャンネル間のセパレーションが向上し、クロストークを低減させることができ、より性能の良好な音響再生装置を実現することができる。
【００８９】
また図示していないが、振動体２７は、その外周部に、柔軟性に富むエッジ部を含んで構成することもできる。
【００９０】
この構成とすることで、柔軟性に富むエッジ部の効果で、振動体２７の振幅量を拡大させ、リニアリティも向上させることができることから、音響特性等その性能を向上させることができる。
【００９１】
また前記のように、柔軟性に富むエッジ部を設けないまでも、振動体２７の外周部を、外周部以外の部位より柔らかく構成することでも、前記に近い効果を得ることも可能である。
【００９２】
この構成とすることで、エッジ部を設けることなく、その外周部が柔軟性に富む振動体を構成することの効果で、振動体の振幅量を拡大させ、リニアリティも向上させることができることから、性能向上と低コスト化を両立させることができる。
【００９３】
また前述の内容は、ボイスコイル２８を１層巻に形成した例について説明したが、さらなる音圧レベル向上等の性能向上に対する対応として、ボイスコイル２８を２層巻き以上に形成して使用することで、その駆動力が向上し、音圧レベル向上等の効率向上を実現することができる。
【００９４】
また、図１８に示すように、操作手段と信号入力手段と増幅手段の一部または全部を建築材料に埋設構成して音響再生装置または建築材料を構成することもできる。
【００９５】
この構成とすることにより、スピーカ等の音響再生装置のみならず、システム全体までも建築材料に埋設構成することで、室内でのスペースファクターを向上できるとともに、室内レイアウトの自由度を向上させることができる。
【００９６】
さらに前述の振動体の色彩を、白系色として構成することで、壁面材等の建築材料を音響放射以外の機能として、液晶プロジェクタ等の映像表示用パネルや映像表示用スクリーンとして使用することもできる。
【００９７】
この構成とすることにより、映像表示用パネルや映像表示用スクリーンを設置するスペースが不要であるため、室内でのスペースファクターを向上できるとともに、室内レイアウトの自由度を向上させることができる。
【００９８】
さらに、部品の共用化、省スペース化、低コスト化を実現することができ、加えて建築材料工場内部で音響および映像再生装置としての壁面モジュールとして完成させることができ、管理、運用面の容易性も図ることができ、その効果は絶大である。
【００９９】
さらに、上述の音響および映像再生装置や建築材料を搭載して住宅やマンション、オフィスビル等の居住空間や建築構造物を構成することで、無駄な空間を廃し、室内のスペースファクターを向上できるとともに、室内レイアウトの自由度を向上できる居住空間や建築構造物を提供することができる。
【産業上の利用可能性】
【０１００】
本発明による音響再生装置は、建築材料の機能を併用した振動体により音響再生装置を構成することができ、装置の小型薄型化や部品点数削減によるスペースファクター向上やコスト低減化と生産性の向上を実現することができ、住宅やマンション、オフィスビル等の建築材料で構成された居住空間に使用される音響再生装置や器物への応用展開も期待できるものである。
【図面の簡単な説明】
【０１０１】
【図１】本発明の実施の形態による居住空間と音響再生装置の構成を示した斜視図
【図２】本発明の実施の形態による建築材料の一部である振動体の外観図
【図３】本発明の実施の形態による音響再生装置の使用状態を示す断面図
【図４】本発明の実施の形態による音響再生装置の使用状態を示す断面図
【図５】本発明の実施の形態による音響再生装置の断面図
【図６】本発明の実施の形態による音響再生装置の断面図
【図７】本発明の実施の形態による振動体の外観図
【図８】本発明の実施の形態による振動体の外観図
【図９】本発明の実施の形態による音響再生装置の断面図
【図１０】本発明の実施の形態による音響再生装置の断面図
【図１１】本発明の実施の形態による音響再生装置の断面図
【図１２】本発明の実施の形態による音響再生装置の断面図
【図１３】本発明の実施の形態による居住空間と音響再生装置の構成を示した斜視図
【図１４】本発明の実施の形態による建築材料である音響再生装置の外観図
【図１５】本発明の実施の形態による建築関連材料である音響再生装置の外観図
【図１６】本発明の実施の形態による建築関連材料である音響再生装置の外観図
【図１７】本発明の実施の形態による居住空間と音響再生装置の構成を示した斜視図
【図１８】本発明の実施の形態による居住空間と音響再生装置の構成を示した斜視図
【図１９】従来の居住空間と音響再生装置の構成を示した斜視図
【符号の説明】
【０１０２】
２１  マグネット
２３  ヨーク
２４  磁気回路
２５  磁気ギャップ
２６  フレーム
２７  振動体
２８  ボイスコイル
２８Ａ  コイル
２８Ｂ  ボイスコイル
２８Ｃ  ボイスコイル
２８Ｄ  ボイスコイル
１００  居住空間
１０１  壁
１０２  天井
１０３  床
１０４  柱
１０５  扉
１０６  窓
２００  オーディオシステム
２０１  本体部
２０２  右フロントスピーカ
２０３  左フロントスピーカ
２０４  右リアスピーカ
２０５  左リアスピーカ
２０６  センタースピーカ
２０７  サブウーファ
３００  居住空間
３０１  正面壁
３０２  天井材
３０３  床材
３０４  柱材
３０５  扉材
３０６  窓材
３２０  衝立材
３２１  パーテーション
３３０  背面壁
３３１  スリット
４００  オーディオシステム
４０１  本体部
４０２  右フロントスピーカ
４０３  左フロントスピーカ
４０４  右リアスピーカ
４０５  左リアスピーカ
４０６  センタースピーカ
４０７  サブウーファ
４１０  壁面心材
【図１】
2006080820.tif 000003
【図２】
2006080820.tif 000004
【図３】
2006080820.tif 000005
【図４】
2006080820.tif 000006
【図５】
2006080820.tif 000007
【図６】
2006080820.tif 000008
【図７】
2006080820.tif 000009
【図８】
2006080820.tif 000010
【図９】
2006080820.tif 000011
【図１０】
2006080820.tif 000012
【図１１】
2006080820.tif 000013
【図１２】
2006080820.tif 000014
【図１３】
2006080820.tif 000015
【図１４】
2006080820.tif 000016
【図１５】
2006080820.tif 000017
【図１６】
2006080820.tif 000018
【図１７】
2006080820.tif 000019
【図１８】
2006080820.tif 000020
【図１９】
2006080820.tif 000021